(57)【特許請求の範囲】
【請求項１】
パネルと、該パネルに破断開口形状に刻設したスコアと、該スコアによって包囲形成された破断開口部と、先端部が該破断開口部に臨むと共に後端部に把持部を有し先端部と後端部の中間位置に前記パネルの上面に形成されたリベットにより固着する舌片を有するタブとを備え、該タブによって前記スコアを破断しつつ前記破断開口部をパネルの裏面方向に押し下げて破断開口部を開口すると共に開口することによって形成される破断開口片の一部がパネルに繋がった状態でパネルの裏面側に折り込まれるイージーオープン缶蓋において、
前記パネルの前記舌片に対応する位置に、該パネルの上面から突出する凸部を設け、
前記舌片に、前記凸部に対応する切欠部を設け、
該切欠部の内方に互いに対向して張出す一対の張出部を設け、
前記凸部は、前記張出部の張り出し方向に直交する方向を長手とする平面視大略楕円形状に膨出成形され、
前記張出部は、舌片を介してタブのリベット廻りの回転を不能とすべく、該張出部の先端が前記凸部の両側壁に沿って立ち上がって該凸部の両側壁に圧接していることを特徴とするイージーオープン缶蓋。
【請求項２】
パネルと、該パネルに破断開口形状に刻設したスコアと、該スコアによって包囲形成された破断開口部と、先端部が該破断開口部に臨むと共に後端部に把持部を有し先端部と後端部の中間位置に前記パネルの上面に形成されたリベットにより固着する舌片を有するタブとを備え、該タブによって前記スコアを破断しつつ前記破断開口部をパネルの裏面方向に押し下げて破断開口部を開口すると共に開口することによって形成される破断開口片の一部がパネルに繋がった状態でパネルの裏面側に折り込まれるイージーオープン缶蓋において、
前記パネルの前記舌片の両側に沿って該パネルの上面から突出する一対の凸部を設け、
前記舌片の両側縁に各凸部に向かって張出す一対の張出部を設け
前記凸部は、前記張出部の張り出し方向に直交する方向を長手とする平面視大略楕円形状に膨出成形され、
前記張出部は、舌片を介してタブのリベット廻りの回転を不能とすべく、該張出部の先端が該凸部の側壁に沿って立ち上がって両凸部の側壁に圧接していることを特徴とするイージーオープン缶蓋。
【発明の詳細な説明】
【０００１】
【発明の属する技術分野】
本発明は、缶入り飲料の飲み口等を容易に開口することができるイージーオープン缶蓋に関する。
【０００２】
【従来の技術】
通常、ビール、コーヒー飲料、炭酸飲料及び果汁飲料等の飲料を充填した飲料缶の缶蓋には、イージーオープン缶蓋が用いられている。この種のイージーオープン缶蓋としては、タブを持ち上げて缶蓋に開ループ状に刻設した開口用スコアを破断して、缶蓋を開口してもその際生じた破断開口片が缶蓋に繋がったまま缶内に押し込まれ、タブは、缶蓋にリベットで固着されているので、共に缶蓋から切り離されることがない、いわゆるステイオンタブ式の缶蓋が知られている。
【０００３】
この種の缶蓋は、パネルに開口部を形成する形状に沿って始端から終端に連続するスコアが設けられ、該スコアによって包囲されて破断開口部を形成する破断開口片が設けられている。該スコアの始端と終端とは所定間隔を存して不連続に設けられているため、該スコアに沿って破断したとき破断開口片がパネルに繋がったままの状態となる。
【０００４】
該スコアの破断は、パネルの上面にリベットによって取り外し不能に取着されたタブにより行われる。破断開口部を開口するためには、タブの後端部に形成された把持部に指を掛けて、該タブをパネルに対して起立する方向に引き上げる。これにより、該タブの先端縁が破断開口部が押圧され、スコアに沿って破断された破断開口片がパネルの裏面方向に押し下げられる。そして、破断開口片がパネルに繋がった状態でパネルの裏面側に折り込まれて、パネルが開口される。
【０００５】
ところで、前記タブは、蓋の取扱工程で前記リベットを中心としてパネル上で回転することがある。そして、パネルの破断開口部を開口するときにタブが所定の位置から他の位置へ回転していた場合、或いは開口操作中に回転した場合には、タブの先端部が破断開口部の上面に当接するときにスコアの破断が最も確実に進行する位置からズレてしまい、破断開口部のスコアを破断する際に大きな破断力が必要となり、円滑な破断に支障を来すおそれがある。  そこで、本出願人は、先に実願平４−４３５１７号によって、前記タブを回転不能とするイージーオープン缶蓋を多数提案した。これによって、タブの先端部を破断開口部の適切な位置に当接させて該スコアの円滑な破断を実現したが、更に、構造を簡単として製造容易であって、より確実にタブの回転を防止することができるものが望まれていた。
【０００６】
【発明が解決しようとする課題】
かかる不都合を解消して、本発明は、パネル上におけるタブの回転を確実に防止することにより円滑に開口することができると共に製造容易なイージーオープン缶蓋を提供することを目的とする。
【０００７】
【課題を解決するための手段】
かかる目的を達成するために、本発明の第１の態様は、パネルと、該パネルに破断開口形状に刻設したスコアと、該スコアによって包囲形成された破断開口部と、先端部が該破断開口部に臨むと共に後端部に把持部を有し先端部と後端部の中間位置に前記パネルの上面に形成されたリベットにより固着する舌片を有するタブとを備え、該タブによって前記スコアを破断しつつ前記破断開口部をパネルの裏面方向に押し下げて破断開口部を開口すると共に開口することによって形成される破断開口片の一部がパネルに繋がった状態でパネルの裏面側に折り込まれるイージーオープン缶蓋において、前記パネルの前記舌片に対応する位置に、該パネルの上面から突出する凸部を設け、前記舌片に、前記凸部に対応する切欠部を設け、該切欠部の内方に互いに対向して張出す一対の張出部を設け、前記凸部は、前記張出部の張り出し方向に直交する方向を長手とする平面視大略楕円形状に膨出成形され、前記張出部は、舌片を介してタブのリベット廻りの回転を不能とすべく、該張出部の先端が前記凸部の両側壁に沿って立ち上がって該凸部の両側壁に圧接していることを特徴とする。
【０００８】
また、本発明の第２の態様は、前記舌片の両側縁に各凸部に向かって張出す一対の張出部を設け前記凸部は、前記張出部の張り出し方向に直交する方向を長手とする平面視大略楕円形状に膨出成形され、前記張出部は、舌片を介してタブのリベット廻りの回転を不能とすべく、該張出部の先端が該凸部の側壁に沿って立ち上がって両凸部の側壁に圧接していることを特徴とする。
【０００９】
本発明の各態様においては、舌片の張出部は凸部に当接されており、該凸部が張出部を介して舌片の回転を規制する。これによって、タブのリベット廻りの回転を防止することができ、該タブの先端部を破断開口部の適切な位置に当接させることができる。即ち、本発明の第１の態様においては、前記舌片には、前記凸部に対応する切欠部が形成さられており、該切欠部の内方に張出して形成された一対の張出部が、凸部の両側壁に圧接して突っ張る。しかも、前記凸部は張出部の張り出し方向に直交する方向を長手とする平面視大略楕円形状に膨出成形されているので、該凸部はその側壁が比較的長い寸法で起立されており、張出部が圧接される範囲を比較的広くして張出部を確実に規制する。これにより、確実にタブを回転不能とすることができる。
同じように、本発明の第２の態様においては、前記舌片の両側に沿って設けられた一対の凸部に、該舌片の両側縁から張出す張出部が圧接して突っ張る。しかも、前記凸部は張出部の張り出し方向に直交する方向を長手とする平面視大略楕円形状に膨出成形されているので、該凸部はその側壁が比較的長い寸法で起立されており、張出部が圧接される範囲を比較的広くして張出部を確実に規制する。これにより、確実にタブを回転不能とすることができる。
【００１０】
また本発明の上記各態様においては、前記張出部は、その先端が前記凸部の側壁に沿って立ち上がった状態で圧接するように形成されている。このように張出部の先端に前記立ち上がり部分を形成するためには、該張出部を、舌片の端縁と凸部との間隔よりも多少大きく凸部に向かって張り出すように形成しておけば良い。こうすることにより、パネルにタブを取り付けるためにリベットを押し潰すカシメ止め加工を行うときに、同時に舌片の張出部をパネル上面に押圧するだけで、該張出部の先端部が凸部に沿って立ち上がって該凸部の側壁に密着するように成形することができ、該張出部と凸部とが一体的に密着する状態を極めて簡単に形成することができる。
【００１１】
また、凸部の加工時の誤差によって該凸部が多少大きく形成されていた場合にも、パネルにタブを取り付ける際に舌片をパネル上面に押しつけるだけで張出部の先端が立ち上がって凸部の形状に対応するので、タブをパネル上に取り付けた際に舌片本体が凸部に乗り上げた状態となることを防止することができ、確実にタブを回り止めすることができる。
【００１２】
【発明の実施の形態】
本発明の第１の実施形態を図１及び図２に基づいて説明する。図１は第１の実施形態の缶蓋の平面図、図２は図１のII−II線断面図である。
【００１３】
図１に示すように、缶蓋１は、巻締め用のカール部２をその周縁に備え、該カール部２に包囲される内側にパネル３を備えている。パネル３には、缶蓋１を開口するためのスコア４が刻設されており、該パネル３の上面側には、リベット５を介してタブ６が固定されている。
【００１４】
スコア４は、始端７と終端８とが間隔９をなして破断開口形状に沿って始端７から終端８に連続して設けられており、このスコア４によって包囲されて、大略楕円形状の破断開口部１０が形成されている。
【００１５】
タブ６は、図１に示すように、その先端部１１が前記破断開口部１０に当接してスコア４を破断可能としており、その後端部に把持部１２を備えている。該タブ６の先端部１１は、前記破断開口部１０において、前記スコア４を的確且つ容易に破断させる所定の位置に臨んで設けられている。また、該タブ６には、先端部１１と把持部１２との中間位置に前記リベット５によってパネル３に固定される舌片１３が連設されている。該舌片１３はタブ６の先端部１１と把持部１２との中間部分を略コ字形に打ち抜くことによって形成され、リベット５が挿通可能なリベット穴１４を備えている。該舌片１３は、リベット穴１４にリベット５を挿着してリベット５を押し潰すカシメ加工によってパネル３上に固定される。更に、該舌片１３によってパネル３上におけるタブ６の揺動が可能とされている。
【００１６】
また、図１及び図２に示すように、パネル３には、前記舌片１３に対応する位置に突出する凸部１５が形成されている。前記舌片１３には、該凸部１５を包囲するように切り欠き形成された円孔部１６が形成されている。該円孔部１６の内周縁には、凸部１５を介して対向する一対の張出部１７が形成されている。該張出部１７は、図２に示すように、凸部１５に向かって張出してその先端部１８が該凸部１５の両側壁に沿って立ち上がり、該凸部１５の両側壁に圧接して舌片１３を回転不能としている。これにより、前記パネル３上における前記タブ６の回転が確実に防止されている。なお、前記凸部１５は、張出部１７の張り出し方向に直交する方向を長手とする平面視大略楕円形状に膨出成形されている。これによって、該凸部１５はその側壁が比較的長い寸法で起立されており、張出部１７が圧接される範囲を比較的広くして張出部１７を確実に規制している。また、本実施形態においては凸部１５に対応する円孔部１６を舌片１３に設けたが、該円孔部１６については、舌片１３の把持部１２側において開放された凹形状の切欠であってもよい。
【００１７】
前記張出部１７は、円孔部１６の内周縁と凸部１５との間隔よりも多少大きく凸部１５に向かって張り出すように形成されている。これによって、パネル３上にタブ６を取り付ける際に、張出部１７の先端部１８を凸部１５の両側壁に沿って立ち上がる形状に形成することができる。即ち、パネル３上へのタブ６の取り付けは、図示しないが、次のようにして行われる。先ず、パネル３のリベット５にタブ６の舌片１３に形成されたリベット穴１４を挿通させる。このとき、舌片１３の円孔部１６にはパネル３に形成された凸部１５が対応する。次いで、リベット穴１４を貫通して上方に突出するリベット５を押圧して潰し、これによってパネル３上に舌片１３を固着する。同時に、舌片１３及びその張出部１７をパネル３上に押圧する。このとき、張出部１７は、その先端部１８が凸部１５に当接して凸部１５の両側壁に沿って立ち上がる。そして、例えば、凸部１５の加工時の誤差によって該凸部１５が多少大きく形成されていた場合であっても、舌片１３及び張出部１７をパネル３上に押圧することによって、張出部１７の先端部１８が立ち上がり、凸部１５の形状に対応する。このようにして、該張出部１７と凸部１５とが一体的に密着する状態を極めて簡単に形成することができる。
【００１８】
そして、以上のように構成された缶蓋１の開口操作時においては、図１を参照して、前記タブ６の把持部１２に指を掛けて引き上げて、該タブ６全体をパネル３に対して起立する方向に持ち上げられるが、該タブ６は回転不能とされているので、前記破断開口部１０の所定の位置に前記先端部１１を正確に当接させることができる。そして、図示しないが、該タブ６によって前記スコア４を破断しつつ前記破断開口部１０をパネル３の裏面方向に押し下げて破断開口部１０を開口すると共に開口することによって形成された破断開口片の一部がパネル３に繋がった状態でパネルの裏面側に折り込まれる。このように、開口操作の最中にも、前記凸部１５への張出部１７の圧接が維持されているので、舌片１３を介してタブ６のリベット５廻りの回転が確実に防止され、缶蓋１を極めて容易に開口することができる。
【００１９】
次に、本発明の第２の実施形態を図３及び図４に基づいて説明する。図３は第２の実施形態の缶蓋の平面図、図４は図３のIV−IV線断面図である。
【００２０】
なお、第２の実施形態において、前記第１の実施形態の缶蓋１と同一の構成をなすものについては、図中に同一の符号を付してその説明を省略する。
【００２１】
図３に示すように、第２の実施形態の缶蓋２０は、前記第１の実施形態の缶蓋１と同様にしてタブ２１が設けられているが、該タブ２１の舌片２２は、その両側縁に張出す一対の張出部２３を備えている。一方、前記パネル２４には、前記舌片２２の両側に沿って突出する一対の凸部２５が形成されている。即ち、舌片２２は、一対の凸部２５間に位置しており、張出部２３は、各凸部２５に向かって張出して先端部２６（図４示）が両凸部２５の側壁に圧接することによって舌片２２を回転不能としている。前記凸部２５は、前記第１の実施形態と同様に、張出部２３の張り出し方向に直交する方向を長手とする平面視大略楕円形状に膨出成形されている。これによって、該凸部２５はその側壁が比較的長い寸法で起立されており、張出部２３が圧接される範囲を比較的広くして張出部２３を確実に規制している。
【００２２】
図４に示すように、前記張出部２３は、その先端部２６が各凸部２５の内側壁に沿って立ち上がって両凸部２５に圧接しており、これにより、各凸部２５を張出部２３によって押さえつけて前記パネル２４上における前記タブ２１の回転が確実に防止されている。
【００２３】
また、前記張出部２３は、その各側縁と各凸部２５との間隔よりも多少大きく凸部２５に向かって張り出すように形成されている。そして、パネル２４上へのタブ２１の取り付けは、前述した第１の実施形態と同様であって、リベット５を押し潰してパネル２４上に舌片２２を固着する際に、舌片２２及び張出部２３をパネル２４上に押圧するだけで、張出部２３は、その先端部２６が凸部２５に当接して両凸部２５の内側壁に沿って立ち上がる。このとき、凸部２５の加工時の誤差によって各凸部２５が多少大きく形成されていた場合であっても、パネル２４上に押圧された張出部２３の先端部２６が各凸部２５の側壁に沿って立ち上がり、凸部２５の形状に対応させることができ、該張出部２３と凸部２５とが一体的に密着する状態を極めて簡単に形成することができる。
【図面の簡単な説明】
【図１】本発明の第１の実施形態の缶蓋の平面図。
【図２】図１のII−II線断面図。
【図３】本発明の第２の実施形態の缶蓋の平面図。
【図４】図３のIV−IV線断面図。
【符号の説明】
１，２０…イージーオープン缶蓋、３，２４…パネル、４…スコア、５…リベット、６，２１…タブ、１０…破断開口部、１１…先端部、１２…把持部、１３，２２…舌片、１５，２５…凸部、１６…円孔部（切欠部）、１７，２３…張出部。
【図１】
0003683023.tif 000002
【図２】
0003683023.tif 000003
【図３】
0003683023.tif 000004
【図４】
0003683023.tif 000005